(57)【要約】【課題】携帯機器に取り付けて、機器の外観装飾を簡単に変化させることのできる携帯機器のジャケットを提供する。【解決手段】カメラ１００等の携帯機器の外観を装飾するものであって、使用者により当該携帯機器に自在に装着することができる携帯機器のジャケット１において、ジャケット１は、シート状で構成され、シートの両面が、いずれも外観を装飾する面で、かつ材質、色または表面の少なくともいずれか１つが相互に異なるような面で形成され、当該ジャケットの展開された形状がシートの長手方向に沿った方向を対称軸Ｓとして略対称な形状となるように構成されて、ジャケット１は、当該シートのいずれかの面を表面にして対称軸Ｓに沿って巻き付かせることで外観を装飾する面を切換え可能とし、ジャケット１は、シートのいずれの面が表面であっても、巻き付いて携帯機器の周囲を一周されたジャケットの両端を締結する締結部２１、５１を有する。【選択図】  図２
2012181388.tif 000002
【特許請求の範囲】
【請求項１】
携帯機器の外観を装飾するものであって、使用者により当該携帯機器に自在に装着することができる携帯機器のジャケットにおいて、
当該ジャケットは、シート状で構成され、当該シートの両面が、いずれも外観を装飾する面で、かつ材質、色または表面の少なくともいずれか１つが相互に異なるような面で形成され、当該ジャケットの展開された形状が上記シートの長手方向に沿った方向を対称軸として略対称な形状となるように構成されて、
当該ジャケットは、当該シートのいずれかの面を表面にして当該対称軸に沿って巻き付かせることで上記外観を装飾する面を切換え可能とし、
当該ジャケットは、上記シートのいずれの面が表面であっても、上記巻き付いて携帯機器の周囲を一周された当該ジャケットの両端を締結する締結部を有する、
ことを特徴とする携帯機器のジャケット。
【請求項２】
上記携帯機器の撮影レンズが設けられた面を覆う部分には、いずれかの面を表にした場合にも当該撮影レンズ部を遮蔽しないようなレンズ開口部が設けられていることを特徴とする請求項１に記載の携帯機器のジャケット。
【請求項３】
上記レンズ開口部は、上記撮影レンズを内蔵する携帯機器の鏡筒の外形に一致する形状で構成され、
上記レンズ開口部は、当該レンズ開口部のセンタが上記対称軸に重なるような位置に形成される、
ことを特徴とする請求項２に記載の携帯機器のジャケット。
【請求項４】
上記レンズ開口部には、当該ジャケットが上記携帯機器に装着された状態で、当該レンズ開口部の内部を貫通する上記鏡筒に装着される装着部が設けられることを特徴とする請求項３に記載の携帯機器のジャケット。
【請求項５】
上記装着部は、弾性部材であることを特徴とする請求項４に記載の携帯機器のジャケット。
【請求項６】
当該ジャケットが上記携帯機器に装着された状態で、当該携帯機器に設けられた表示部を露出させる背面開口部が形成され、
上記背面開口部は、上記対称軸に対して略対称となる形状で形成される、
ことを特徴とする請求項１に記載の携帯機器のジャケット。
【請求項７】
上記締結部は、上記端部に設けられたマグネットシートであることを特徴とする請求項１に記載の携帯機器のジャケット。
【請求項８】
上記ジャケットは、一方の面が耐水性の面で形成されていることを特徴とする請求項１に記載の携帯機器のジャケット。
【請求項９】
上記ジャケットは、一方の面が反射性の面で形成されていることを特徴とする請求項１に記載の携帯機器のジャケット。
【請求項１０】
上記携帯機器は、カメラ、または携帯電話であることを特徴とする請求項１に記載の携帯機器のジャケット。
【発明の詳細な説明】
【技術分野】
【０００１】
本発明は、カメラ等の携帯機器を保護するための携帯機器のジャケットに関する。
【背景技術】
【０００２】
カメラや携帯電話等の携帯機器は、屋外で使用されることが多く、これらを収納するための専用のケースが広く利用されている。また、携帯機器を保護するための手段として、シールも提案されている。例えば、可とう性および弾性を有し、携帯電話上の部品を回避するように切り抜かれた保護シールが提案されている（特許文献１参照）。また、カメラボディを保護するためのシールも提案されている（特許文献２参照）。
【０００３】
従来の携帯機器のケースやシールは、使用中や持ち運び中に機器を落としたり、あるいはぶつけたりして破損することを防止するのが主たる役割であった。しかし、最近はこのような実用的な目的ではなく、機器の外観に貼り付けるデコシール（デコレーションシール）と呼ばれるシールも販売されている。ユーザは、カメラや携帯電話等にデコシールを貼ったり付けたりして、カメラや携帯電話等を自分だけのオリジナルな外観にして楽しんでいる。
【先行技術文献】
【特許文献】
【０００４】
【特許文献１】実用新案登録第３０３３７５５号公報
【特許文献２】特開２００３−０８４３５９号公報
【発明の概要】
【発明が解決しようとする課題】
【０００５】
このように、ユーザはシール等を用いて携帯機器をオリジナル化して楽しんでいるが、服装を変えるのと同じ感覚で簡単に変えることができれば、よりオリジナル化を楽しむことができる。しかし、現状のシールでは、貼り替えに手間がかかってしまい、簡単ではない。すなわち、現状のシールでは、携帯機器の外観装飾を簡単に変化させることができない。
【０００６】
本発明は、このような事情を鑑みてなされたものであり、携帯機器に取り付けて、機器の外観装飾を簡単に変化させることのできる携帯機器のジャケットを提供することを目的とする。
【課題を解決するための手段】
【０００７】
上記目的を達成するため第１の発明に係わる携帯機器のジャケットは、携帯機器の外観を装飾するものであって、使用者により当該携帯機器に自在に装着することができる携帯機器のジャケットにおいて、当該ジャケットは、シート状で構成され、当該シートの両面が、いずれも外観を装飾する面で、かつ材質、色または表面の少なくともいずれか１つが相互に異なるような面で形成され、当該ジャケットの展開された形状が上記シートの長手方向に沿った方向を対称軸として略対称な形状となるように構成されて、当該ジャケットは、当該シートのいずれかの面を表面にして当該対称軸に沿って巻き付かせることで上記外観を装飾する面を切換え可能とし、当該ジャケットは、上記シートのいずれの面が表面であっても、上記巻き付いて携帯機器の周囲を一周された当該ジャケットの両端を締結する締結部を有する。
【０００８】
第２の発明に係わる携帯機器のジャケットは、上記第１の発明において、上記携帯機器の撮影レンズが設けられた面を覆う部分には、いずれかの面を表にした場合にも当該撮影レンズ部を遮蔽しないようなレンズ開口部が設けられている。
第３の発明に係わる携帯機器のジャケットは、上記第２の発明において、上記レンズ開口部は、上記撮影レンズを内蔵する携帯機器の鏡筒の外形に一致する形状で構成され、上記レンズ開口部は、当該レンズ開口部のセンタが上記対称軸に重なるような位置に形成される。
【０００９】
第４の発明に係わる携帯機器のジャケットは、上記第３の発明において、上記レンズ開口部には、当該ジャケットが上記携帯機器に装着された状態で、当該レンズ開口部の内部を貫通する上記鏡筒に装着される装着部が設けられている。
第５の発明に係わる携帯機器のジャケットは、上記第４の発明において、上記装着部は、弾性部材である。
【００１０】
第６の発明に係わる携帯機器のジャケットは、上記第１の発明において、当該ジャケットが上記携帯機器に装着された状態で、当該携帯機器に設けられた表示部を露出させる背面開口部が形成され、上記背面開口部は、上記対称軸に対して略対称となる形状で形成される。
第７の発明に係わる携帯機器のジャケットは、上記第１の発明において、上記締結部は、上記端部に設けられたマグネットシートである。
【００１１】
第８の発明に係わる携帯機器のジャケットは、上記第１の発明において、上記ジャケットは、一方の面が耐水性の面で形成されている。
第９の発明に係わる携帯機器のジャケットは、上記第１の発明において、上記ジャケットは、一方の面が反射性の面で形成されている。
第１０の発明に係わる携帯機器のジャケットは、上記第１の発明において、上記携帯機器は、カメラ、または携帯電話である。
【発明の効果】
【００１２】
第１の発明によれば、携帯機器に取り付けて、機器の外観装飾を簡単に変化させることのできる携帯機器のジャケットを提供することができる。
【００１３】
また、第２の発明によれば、装着した状態でも撮影できるので、撮影時にジャケットを外す必要がない。第３の発明によれば、レンズ開口部の大きさを最小することができる。第４の発明によれば、鏡筒を利用することができるので、ジャケットの固定が確実にできる。第５の発明によれば、弾性部材を利用してジャケットを安定して保持することができる。
【００１４】
また、第６の発明によれば、何れの面でも、表示内容の確認を行うことができる。第７の発明によれば、マグネットシートにより、着脱を容易することができ、また薄く構成することができる。第８の発明によれば、プールや海辺等、水のかかる場所でも使用することができる。第９の発明によれば、反射性の面を使用すれば、夜間、携帯機器の位置を視認することができる。第１０の発明によれば、カメラ、携帯電話の外観装飾を簡単に変化させることができる。
【図面の簡単な説明】
【００１５】
【図１】本発明の第１実施形態に係わる携帯機器のジャケットを装着する前のカメラの外観を示す図であり、（ａ）は正面図、（ｂ）は背面図、（ｃ）は右側面図、（ｄ）は左側面図、（ｅ）は平面図である。
【図２】本発明の第１実施形態に係わる携帯機器のジャケットを示す図であり、（ａ）は携帯機器のジャケットの正面図であり、（ｂ）は携帯機器のジャケットをカメラに一部取り付けた状態を示す図である。
【図３】本発明の第１実施形態に係わる携帯機器のジャケットを装着する様子を示す図であり、（ａ）はジャケットをカメラの背面に装着する様子を示す図であり、（ｂ）はジャケットを締結する様子を示す図であり、（ｃ）は鏡筒装着部の断面図である。
【図４】本発明の第１実施形態に係わる携帯機器のジャケットのＡ面を表にしてカメラに装着した状態を示す図であり、（ａ）は正面図、（ｂ）は背面図、（ｃ）は右側面図、（ｄ）は左側面図である。
【図５】本発明の第１実施形態に係わる携帯機器のジャケットのＢ面を表にしてカメラに装着した状態を示す図であり、（ａ）は正面図、（ｂ）は背面図、（ｃ）は右側面図、（ｄ）は左側面図である。
【図６】本発明の第１実施形態に関わる携帯機器のジャケットの鏡筒装着部の変形例を示す図である。
【図７】本発明の第１実施形態に関わる携帯機器のジャケットの締結部の第１変形例を示す図である。
【図８】本発明の第１実施形態に関わる携帯機器のジャケットの締結部の第２変形例を示す図である。
【図９】本発明の第２実施形態に係わる携帯機器のジャケットを装着する前のカメラの外観を示す図であり、（ａ）は正面側から見た外観斜視図、（ｂ）は背面側から見た外観斜視図である。
【図１０】本発明の第２実施形態に係わる携帯機器のジャケットを示す図である。
【図１１】本発明の第２実施形態に係わる携帯機器のジャケットのＡ面を表にして装着したカメラの外観を示す図であり、（ａ）は正面側から見た外観斜視図、（ｂ）は背面側から見た外観斜視図である。
【図１２】本発明の第２実施形態に係わる携帯機器のジャケットのＡ面を表にしてカメラに装着した状態を示す図であり、（ａ）は正面図、（ｂ）は平面図、（ｃ）は底面図、（ｄ）は右側面図、（ｅ）は背面図である。
【図１３】本発明の第２実施形態に係わる携帯機器のジャケットのＢ面を表にして装着したカメラの外観を示す図であり、（ａ）は正面側から見た外観斜視図、（ｂ）は背面側から見た外観斜視図である。
【図１４】本発明の第３実施形態に係わる携帯機器のジャケットのＡ面を表にして装着した携帯電話の外観を示す図であり、（ａ）は正面図、（ｂ）は右側面図、（ｃ）は背面図、（ｄ）は平面図である。
【図１５】本発明の第３実施形態に係わる携帯機器のジャケットのＢ面を表にして装着した携帯電話の外観を示す図であり、（ａ）は正面図、（ｂ）は右側面図、（ｃ）は背面図、（ｄ）は平面図である。
【図１６】本発明の第４実施形態に係わる携帯機器のジャケットのＡ面を表にして装着したカメラの外観を正面側から見た外観図であり、（ａ）はジャケットの装着時、（ｂ）は装着後を示す図である。
【図１７】本発明の第４実施形態に係わる携帯機器のジャケットのＢ面を表にして装着したカメラを示す外観図であり、（ａ）は裏側から携帯機器のジャケットのＢ面を見た外観斜視図であり、（ｂ）は携帯機器のジャケットのＢ面を表側にした様子を示す外観斜視図であり、（ｃ）はＢ面を表にしてカメラに装着した様子を示す外観斜視図であり、（ｄ）は携帯機器のジャケットのＸＸ断面図である。
【図１８】本発明の第１〜第４実施形態に係わる携帯機器のジャケットのＡ面とＢ面の組合せ例を示す図である。
【発明を実施するための形態】
【００１６】
以下、図面に従って本発明を適用した携帯機器のジャケットを用いて好ましい実施形態について説明する。本発明の第１実施形態に係わるジャケットは、デジタルカメラ用であり、装着対象のカメラの外観を、図１に示す。図１（ａ）はカメラの正面図であり、図１（ｂ）は背面図、図１（ｃ）は右側面図、図１（ｄ）は左側面図、図１（ｅ）は平面図である。
【００１７】
カメラ１００の前面部１０１の略中央には、図１（ａ）に示すように、撮影光軸１０３を有するレンズ鏡筒１０２が配置され、また、向かって左側にはユーザがカメラ１００を把持し易くするためのグリップ部１０４が前面１０１より膨出している。カメラ１００の右側面１２０および左側面１２２の上側には、図１（ｃ）（ｄ）に示すように、デジタルカメラ１００を携帯する際に便利なようにスナップや取り付け紐（不図示）を取り付けるためのスナップ取り付け部１２１が配置されている。
【００１８】
カメラ１００の背面部１１０には、図１（ｂ）に示すように、ライブビュー表示や撮影画像の再生表示を行うための表示部１１１が設けられている。また、表示部１１１の上側には電子ビューファインダ（ＥＶＦ）部１１２が、また表示部１１１の右側には、ユーザがカメラ１００に指示するための操作部１１３が、それぞれ配置されている。
【００１９】
次に、本実施形態に係わるジャケット１を図２ないし図５を用いて説明する。図２（ａ）は、ジャケット１を正面から見た図であり、図２（ｂ）はカメラ１００にジャケット１を装着した状態を示す。このジャケット１は、１枚の革、合成樹脂、あるいは布等、薄い柔軟性のあるシートを単一又は組み合わせた構成であり、シートの一部をくり抜いて製作される。ジャケット１の表面（Ａ面）および裏面（Ｂ面）は、いずれも外観を装飾する面で、かつ材質、色または表面の少なくともいずれか１つが相互に異なるような面で形成されている。ジャケット１は、右側からカバー右端部２０、カバー前面部１０、カバー中間部３０、カバー背面部４０、カバー左端部５０から構成され、横方向に長い形状である。
【００２０】
カバー前面部１０の略中央部には、鏡筒開口部１２と、および鏡筒開口部１２の周囲には鏡筒装着部１１が設けられている。そして、鏡筒開口部１２はレンズ鏡筒１０２が設けられている前面部１０１を覆う部分に、ジャケット１のいずれかの面を表にした場合にもレンズ鏡筒１０２を遮蔽しないように設けられている。鏡筒開口部１２は、カメラ１００のレンズ鏡筒１０２が自在に挿入できるようにするために、レンズ鏡筒１０２の外形に一致する形状である。鏡筒開口部１２の中心は、カメラ１００に装着した際に、レンズ鏡筒１０２の撮影光軸１０３と略一致し、対称軸Ｓに重なる位置に形成される。対称軸Ｓの詳細は後述する。
【００２１】
鏡筒装着部１１は、ゴムリング、金属ワイヤ、あるいはプラスチックワイヤ等、弾性部材で構成される。鏡筒装着部１１は、図３（ｃ）に示すように、芯にゴムリング１１ａが配置され、その外周には、ジャケット１の前面（Ａ面という）および背面（Ｂ面という）のシートが貼り合わされている。ジャケット１がカメラ１００に装着される際に、鏡筒装着部１１は、内部を貫通するレンズ鏡筒１０２に弾性的に装着される。
【００２２】
またカバー前面部１０の左側には、カメラ１００のグリップ部１０４と対応する位置に、カバーグリップ部１３が設けられている。カバーグリップ部１３はグリップ部１０４の膨出形態と沿った形状となるように、フォーミング線５に沿ってジャケット１自体が曲げやすくなっている。
【００２３】
カバー中間部３０は、カバー前面部１０の左側に連接して設けられており、両者の境にはフォーミング線５が設けられおり、曲げやすくなっている。カバー中間部３０の上下には半円形状の切り欠き部３１が形成されている。この切り欠き部３１は、ジャケット１をカメラ１００に装着した際に、スナップ取り付け部１２１と干渉しない程度に、カバー中間部３０を切り欠くことにより形成する。
【００２４】
カバー背面部４０は、カバー中間部３０の左側に連接して設けられ、両者の境にはフォーミング線５が設けられおり、曲げやすくなっている。カバー背面部４０の周辺を残して、略全域に背面開口部４１が形成されている。この背面開口部４１は、Ａ−Ｂ面いずれでも表示部１１１や操作部１１３が露出する程度の大きさがあればよい。本実施形態においては、背面開口部４１は、対称軸Ｓに対して略対称となる形状で形成されているが、これに限ることはなく、表示部１１１や操作部１１３がいずれの面でも露出される形状であればよい。
【００２５】
カバー左端部５０は、カバー背面部４０の左側に連接して設けられ、両者の境にはフォーミング線５が設けられおり、曲げやすくなっている。カバー左端部５０の裏面の上下の２か所に締結部Ｑ５１が設けられている。また、カバー右端部１０は、カバー前面部１０の右側に連接して設けられ、両者の境にはフォーミング線５が設けられおり、曲げやすくなっている。カバー右端部２０の表面の上下の２か所に締結部Ｐ２１が設けられている。
【００２６】
締結部Ｐ２１と締結部Ｑ５１は、ジャケット１がカメラ１００に装着された際に、互いに接する位置に設けられている。締結部Ｐ２１と締結部Ｑ５１は、マグネットシートで構成されており、ジャケット１をカメラ１００に装着すると、磁力によって吸着し、ジャケット１をカメラ１００に巻き付けた状態で保持することが可能である。なお、マグネットシートの代わりに面ファスナーで構成してもよい。
【００２７】
また、対称軸Ｓは、カメラ１００に巻き付ける方向に沿った方向（横方向、長手方向）に延びており、ジャケット１は、鏡筒装着部１１、鏡筒開口部１２、背面開口部４１等を含めて、対称軸Ｓを境に上下で対称な形状をしている。このため、ジャケット１の前面（Ａ面）および背面（Ｂ面）のいずれの面を表にしてもカメラ１００の長手方向に沿って装着することが可能となる。
【００２８】
ジャケット１をカメラ１００に装着するには、まず、鏡筒装着部１１をレンズ鏡筒１０２に沿うようにしながら、カバー前面部１０をカメラ１００の前面部１０１に当てつける（図２（ｂ）参照）。続いて、カバー中間部３０を折り曲げ、カバー中間部３０およびカバー背面部４０を、カメラ１００の左側面１２２および背面部１１０に当てつける（図３（ａ）参照）。このとき、ジャケット１のＡ面が表となり、Ｂ面はカメラ１００側に当てつけられる。
【００２９】
最後に、カメラ１００の右側面１２０において、カバー右端部２０の表面に設けられた締結部Ｐ２１と、カバー左端部５０の裏面に設けられた締結部Ｑ５１を吸着させる。これによって、ジャケット１がカメラ１００に巻きつけられ、保持される。
【００３０】
前述したように、ジャケット１は対称軸Ｓを境に上下対称であることから、ジャケット１のＡ面およびＢ面のいずれの面であってもカメラ１００に装着することができる。図４は、Ａ面が表になるように装着した例であり、また図５はＢ面が表になるように装着した例である。Ａ面とＢ面では、材質、模様、色、表面の感触等を変えておけば、機器の外観装飾を簡単に変化させることができる。なお、Ａ面とＢ面の組合せ例については、図１８を用いて後述する。
【００３１】
次に、鏡筒装着部１１の変形例について、図６を用いて説明する。図２に示した第１実施形態においては、鏡筒装着部１１は、鏡筒開口部１２の全周に沿って設けられていた。これに対して、図６（ａ）に示す鏡筒装着部の第１変形例では、鏡筒開口部１２の上側の一部に鏡筒装着部１１ｂを、また鏡筒開口部１２の下側の一部に鏡筒装着部１１ｃを、それぞれ設けている。
【００３２】
鏡筒装着部１１ｂ、１１ｃは、本変形例においては、ゴム部材によって構成されるが、金属部材やプラスチック等、他の素材でも構わないが、弾性を有している素材が望ましい。本変形例においては、ジャケット１をカメラ１００に装着すると、鏡筒装着部１１ｂ、１１ｃは、レンズ鏡筒１０２に当てついて、ジャケットの位置決めを行う。また、鏡筒装着部の個数は、本変形例においては、２個であるが、この数も適宜、変更してよい。
【００３３】
また、鏡筒装着部１１は、図６（ｂ）に示す鏡筒装着部の第２変形例のように、省略してもかまわない。第２変形例においては、鏡筒装着部１１が省略されていることから、鏡筒開口部１２の内周にレンズ鏡筒１０２が直接、当てつく場合があり、この場合、シートが鏡筒装着部としての機能を果たすが、特段、問題ない。
【００３４】
次に、締結部Ｐ２１、Ｑ５１の変形例について、図７および図８を用いて説明する。本発明の第１実施形態においては、締結部Ｐ２１、Ｑ５１は、マグネットシートで構成していた。しかし、締結部としては、マグネットシートや面ファスナー以外にも、スナップやジョイント等、簡単に装着できるのであれば、他の締結機構に置き換えても勿論かまわない。
【００３５】
図７に示す締結部の第１変形例は、締結部としてスナップを用いた例である。ジャケット１の右端部２０の上下２か所に締結部Ｐ２２が設けられ、また左端部５０の上下２か所に締結部Ｑ５２が設けられている。締結部Ｐ２２および締結部Ｑ５２は、それぞれ１対のスナップが２組で構成されており、締結部Ｐ２２と締結部Ｑ５２は、互いに合わせた状態で力を加えることにより結合し、また両者を引き離す力を加えることにより外れる。
【００３６】
図７（ａ）は、ジャケット１のＡ面を表にした状態で、カメラ１００に装着する様子を示している。また、図７（ｂ）は、ジャケット１のＢ面を表にした状態でカメラ１００に装着する様子を示している。このように、本変形例においては、Ａ面を表にした場合であっても、またＢ面を表にした場合であっても、スナップを用いて締結部Ｐ２２と締結部Ｑ５２によって、ジャケット１をカメラ１００に装着することができる。
【００３７】
図８に示す締結部の第２変形例は、締結部としてジョイントを用いた例である。ジョイントはカバン等に用いられるジョイントである。ジャケット１の右端部２０のほぼ中ほどに１か所に締結部Ｐ２３が設けられ、また左端部５０の略中ほどに１か所に締結部Ｑ５３が設けられている。締結部Ｐ２３および締結部Ｑ５３は、それぞれ１対のジョイントが２組で構成されている。図８（ａ）（ｃ）に示す状態において、締結部Ｐ２３と締結部Ｑ５３を、互いに噛み合わせた状態で力を加えることにより、図８（ｂ）（ｄ）に示すように結合させることができる。またジョイントの噛み合わせを外した状態で引き離す力を加えることにより離れる。なお、ジョイントの結合時にカメラ１００をしっかり巻き付けるために、シートに対称軸方向に弾力性があることが望ましい、
【００３８】
図８（ａ）（ｂ）は、ジャケット１のＡ面を表にした状態で、カメラ１００に装着する様子を示している。また、図８（ｃ）（ｄ）は、ジャケット１のＢ面を表にした状態でカメラ１００に装着する様子を示している。このように、本変形例においても、Ａ面を表にした場合であっても、またＢ面を表にした場合であっても、ジョイントを用いて締結部Ｐ２３と締結部Ｑ５３によって、ジャケット１をカメラ１００に装着することができる。
【００３９】
以上説明したように、本発明の第１実施形態やその変形例においては、ジャケット１は、カメラ１００に巻き付いてその周囲を一周して締結されるように、ジャケット１の両端に締結部Ｐ２１および締結部Ｑ５１を有し、長手方向でかつ巻き付き方向に沿った方向を対称軸Ｓとして略対称になるような形状で構成されている。また、ジャケット１のＡ面およびＢ面は、いずれも外観を装飾する面で、かつ材質、色または表面の少なくともいずれか１つが相互に異なるような面で形成されている。このため、カメラ１００に取り付ける際に、Ａ面を表にするか、Ｂ面を表にするかをユーザが好みに応じて適宜選択することにより、機器の外観装飾を簡単に変化させることができる。
【００４０】
次に、図９ないし図１３を用いて、本発明の第２実施形態について説明する。第１実施形態においては、ジャケット１をカメラ１００の長手方向に巻き付けていた（横装着）。これに対して、第２実施形態においては、ジャケット１をカメラ１００の縦方向に巻き付ける（縦装着）。
【００４１】
装着対象となるカメラの外観を、図９に示す。図９（ａ）はカメラの正面図であり、図９（ｂ）は背面図である。カメラ１００の前面部１０１の略中央には、第１実施形態と同様に、レンズ鏡筒１０２が配置され、また、左側にはユーザがカメラ１００を把持し易くするためのグリップ部１０４が前面１０１より膨出している。カメラ１００の前面部１０１の右上側には、ストロボ光を照射するためのストロボ窓１０５が配置されている。
【００４２】
カメラ１００の背面部１１０には、第１実施形態と同様、ライブビュー表示や撮影画像の再生表示を行うための表示部１１１が設けられている。表示部１１１の右側には、図９（ｂ）に示すように、ユーザがカメラ１００に指示するための操作部１１３が配置されている。また、カメラ１００の上面にも、ユーザがカメラ１００に指示するための操作部１３１が配置されている。
【００４３】
次に、本実施形態に係わるジャケット２について図１０を用いて説明する。このジャケット２は、第１実施形態と同様、１枚の革、合成樹脂、布等、薄い柔軟性のあるシートを単一又は組み合わせた構成であり、一部をくり抜いて製作される。ジャケット２の表面（Ａ面）および裏面（Ｂ面）は、第１実施形態の場合と同様、いずれも外観を装飾する面で、かつ材質、色または表面の少なくともいずれか１つが相互に異なるような面で形成されている。ジャケット２は、上側からカバー背面部４５、カバー中間部３５、カバー前面部１５、カバー底面部６５、カバー締結部７５から構成され、縦方向に長い形状である。
【００４４】
カバー前面図１５は、カメラ１００の前面部１０１を覆う部分であり、この略中央部には、第１実施形態と同様に、鏡筒開口部１７が、また鏡筒開口部１７の周囲は鏡筒装着部１６が配置されている。鏡筒開口部１７は、レンズ鏡筒１０２が設けられている前面部１０１を覆う部分に、ジャケット２のＡ面およびＢ面のいずれの面を表にした場合にもレンズ鏡筒１０２を遮蔽しないように開口として形成されている。鏡筒開口部１７は、カメラ１００のレンズ鏡筒１０２が自在に挿入できるようにするために、レンズ鏡筒１０２の外形に一致する形状の開口部である。鏡筒開口部１２の中心は、カメラ１００に装着した際に、レンズ鏡筒１０２の撮影光軸と略一致し、対称軸Ｓに重なる位置に形成される。
【００４５】
またカバー前面部１５の上側には、カメラ１００のストロボ窓１０５と対応する位置に、ストロボ開口部１８が設けられている。カメラ１００のストロボ窓１０５は１箇所であるが、ジャケット２もジャケット１と同様、リバーシブルにＡ面とＢ面の両面を選択してカメラ１００に装着可能とするために、Ｂ面が表となるように装着した場合でもストロボ窓１０５からストロボ光を照射できるようにするために、ストロボ開口部１８は対称軸Ｓに対して対称となる２か所に配置されている。
【００４６】
鏡筒装着部１６は、第１実施形態と同様にゴムリング等の弾性部材、または第１実施形態の第１及び第２変形例と同様に構成すればよい。ジャケット２がカメラ１００に装着される際に、鏡筒装着部１６は、内部を貫通するレンズ鏡筒１０２に装着される。
【００４７】
カバー中間部３５は、カバー前面部１５の上側に連接して設けられており、両者の境にはフォーミング線６が設けられおり、曲げやすくなっている。カバー中間部３５の略中央には操作釦開口部３６が設けられている。この操作釦開口部３６は、カメラ１００の上面に配置された操作部１３１が露呈するように、開口形状を決めればよい。この場合も、ジャケット２のＡ面およびＢ面のいずれが表になった場合でも、操作部１３１が露呈するため、対称軸Ｓで対称となるように開口形状を決める。
【００４８】
カバー背面部４５は、カバー中間部３５の上側に連接して設けられ、両者の境にはフォーミング線６が設けられおり、曲げやすくなっている。カバー背面部４５の表面の上側の左右２か所には、締結部Ｑ４７が配置されている。この締結部Ｑ４７は、第１実施形態と同様、マグネットシートで構成されている。この締結部Ｑ４７とカバー背面部４５の周辺を残して、略全域に背面開口部４６が形成されている。背面開口部４６は、Ａ−Ｂ面のいずれを表にした場合でも表示部１１１が露出する程度の大きさがあればよく、本実施形態では対称軸Ｓに対して対称となるように開口形状を決める。
【００４９】
カバー底面部６５は、カバー前面部１５の下側に連接して設けられ、両者の境にはフォーミング線６が設けられおり、曲げやすくなっている。カバー底面部６５の略中央には、三脚開口部６６が設けられている。三脚開口部６６は、カメラ１００の底部に設けられた三脚ネジ穴が露出する程度の大きさがあればよい。
【００５０】
カバー締結部７５は、カバー底面部６５の下側に連接して設けられ、両者の境にはフォーミング線６が設けられており、曲げやすくなっている。カバー締結部７５の裏面の左右２か所に締結部Ｐ７７が設けられている。締結部Ｐ７７と締結部Ｑ４７は、ジャケット２がカメラ１００の縦方向に装着された際に、互いに接する位置に設けられている。締結部Ｐ７７と締結部Ｑ５１は、マグネットシートで構成されていることから、ジャケット２をカメラ１００の縦方向に巻き付けると、磁力によって吸着し、ジャケット２をカメラ１００に巻き付けた状態で保持することが可能である。
【００５１】
前述の対称軸Ｓは、カメラ１００に巻き付ける方向に沿った方向（縦方向、長手方向）に延びており、ジャケット２は、背面開口部４６、操作釦開口部３６、ストロボ開口部１８、鏡筒装着部１６、三脚開口部６６等を含めて、対称軸Ｓを境に左右で対称な形状をしている。このため、ジャケット２の表面（Ａ面）および裏面（Ｂ面）のいずれの面を表にしてカメラ１００に装着することが可能となる。
【００５２】
ジャケット２をカメラ１００に装着するには、まず、鏡筒装着部１６をレンズ鏡筒１０２に沿うようにしながら、カバー前面部１５をカメラ１００の前面部１０１に当てつける。続いて、カバー中間部３５をカメラ１００の上面に当てつけながら折り曲げ、カバー背面部４５をカメラ１００の背面部１１０に当てつける。このとき、ジャケット２のＡ面が表となり、Ｂ面はカメラ１００側に当てつけられる。
【００５３】
また、カバー底面部７５をカメラ１００の底面に当てつけながら折り曲げ、カバー締結部７５をカメラ１００の背面部側に折り曲げる。最後に、カメラ１００の背面部１１０において、カバー背面部４５に設けられた締結部Ｑ４７と、カバー締結部７５に設けられた締結部Ｐ７７を吸着させる。これによって、ジャケット２がカメラ１００の縦方向に巻きつけられ、保持される。
【００５４】
なお、本実施形態においては、ジャケット２をカメラ１００の縦方向に巻き付けるにあたって、グリップ部１０４および背面の操作部１１３の周辺は覆わないため、これらは露出される。図１２は、ジャケット２をカメラ１００に縦装着した状態を示し、（ａ）は正面図、（ｂ）は平面図、（ｃ）は底面図、（ｄ）は右側面図、（ｅ）は背面図である。
【００５５】
前述したように、ジャケット２は対称軸Ｓを境に左右対称であることから、ジャケット２のＡ面およびＢ面のいずれの面であってもカメラ１００に装着することができる。図１１及び図１２は、Ａ面が表になるように装着した例であり、また図１３はＢ面が表になるように装着した例である。第１実施形態の場合と同様、Ａ面とＢ面では、材質、模様、色等を変えておけば、機器の外観装飾を簡単に変化させることができる。
【００５６】
以上説明したように、本発明の第２実施形態においても、ジャケット２は、カメラ１００に巻き付いてその周囲を一周して締結されるように、ジャケット２の両端に締結部Ｐ７７および締結部Ｑ４７を有し、かつ巻き付き方向に沿った方向（縦方向）を対称軸Ｓとして略対称になるような形状で構成されている。また、ジャケット２のＡ面およびＢ面は、いずれも外観を装飾する面で、かつ材質、色または表面の少なくともいずれか１つが相互に異なるような面で形成されている。このため、カメラ１００に取り付ける際に、Ａ面を表にするか、Ｂ面を表にするかをユーザが好みに応じて適宜選択することにより、機器の外観装飾を簡単に変化させることができる。
【００５７】
なお、本実施形態においても、鏡筒装着部１７、締結部Ｐ７７、Ｑ４７等において、第１実施形態やその変形例と同様に、種々の部材に置き換えることが可能である。
【００５８】
次に、図１４および図１５を用いて、本発明の第３実施形態について説明する。第１及び第２実施形態においては、携帯機器としてカメラ１００に適したジャケット１、２を説明した。これに対して、第３実施形態においては、ジャケット３を携帯電話２００に巻き付ける例を説明する。本実施形態に係わる携帯電話は、いわゆるスマートフォーンであり、撮影レンズを有している。第１及び第２実施形態においては、カメラボディ対するレンズの配置位置を考慮して、レンズ鏡筒１０２の撮影光軸１０３に、ジャケット１、２の対称軸Ｓ上が一致するように構成した。第３実施形態においては、レンズがボディのセンタからかなりづれた位置に設けられた機器に対するもので、撮影レンズ２１１の撮影光軸２１２に対称軸Ｓ上を一致させない点でも異なる。
【００５９】
図１４は、ジャケット３を携帯電話２００に装着した状態を示し、（ａ）は正面図、（ｂ）は右側面図、（ｃ）は背面図、（ｄ）は平面図である。携帯電話２００の正面部２０１には、表示部２０２が設けてあり、表示部２０２の下側に操作部２０３が配置されている。また、携帯電話２００の背面部２１０には、撮影光軸２１２を有する撮影レンズ２１１が配置されている。
【００６０】
ジャケット３は、第２実施形態と同様、縦装着タイプであり、携帯電話２００の縦方向に巻き付ける。ジャケット３は、第１、第２実施形態と同様、１枚の革、合成樹脂、布等、薄い柔軟性のあるシートを単一又は組み合わせた構成であり、一部をくり抜いて製作される。ジャケット３は、カバー背面部４８、カバー中間部３７、カバー前面部１９、カバー底面部６７、カバー締結部７８から構成される。
【００６１】
ジャケット３のカバー前面部１９には、開口部１９ａが設けてあり、この開口部１９ａを介して、表示部２０２および操作部２０３が露呈する。また、カバー背面部４８には、鏡筒開口部４９が設けてある。第３実施形態においても、第１、第２実施形態と同様に、リバーシブルにＡ面とＢ面の両面を選択して携帯電話２００に装着可能とするために、Ｂ面が表となるように装着した場合でも撮影レンズ２１１が露呈するために、鏡筒開口部４９は対称軸Ｓで対称となるような長方形としている。
【００６２】
カバー背面部４８の端部側と、カバー締結部７８の端部側には、締結部Ｑ、締結部Ｐ（不図示）がそれぞれ配置されている。これらの締結部Ｐ、Ｑは、第１及び第２実施形態と同様であるので、詳しい説明は省略する。
【００６３】
ジャケット３の携帯電話２００への装着方法は、第１、第２実施形態と類似していることから、詳細には説明しないが、携帯電話２００の背面側において、両者は容易に結合し、また外すことが可能である。
【００６４】
また、前述したように、ジャケット３は対称軸Ｓを境に左右対称であることから、ジャケット３のＡ面およびＢ面のいずれの面であっても携帯電話２００に装着することができる。図１４は、Ａ面が表になるように装着した例であり、また図１５はＢ面が表になるように装着した例である。第１、第２実施形態の場合と同様、Ａ面とＢ面では、材質、模様や色等を変えておけば、機器の外観装飾を簡単に変化させることができる。
【００６５】
以上説明したように、本発明の第３実施形態においても、ジャケット３は、携帯電話２００に巻き付いてその周囲を一周して締結されるように、ジャケット３の両端に締結部Ｐ、締結部Ｑを有し、かつ巻き付き方向に沿った方向（縦方向）を対称軸Ｓとして略対称になるような形状で構成されている。また、ジャケット３のＡ面およびＢ面は、いずれも外観を装飾する面で、かつ材質、色または表面の少なくともいずれか１つが相互に異なるような面で形成されている。このため、携帯電話２００に取り付ける際に、Ａ面を表にするか、Ｂ面を表にするかをユーザが好みに応じて適宜選択することにより、機器の外観装飾を簡単に変化させることができる。
【００６６】
なお、本実施形態においても、締結部Ｐ、Ｑ等において、第１、第２実施形態やその変形例と同様に、種々の部材に置き換えることが可能である。また、本実施形態においては、縦装着の例を示したが、第１実施形態と同様に、横装着としてもよい。
【００６７】
次に、図１６および図１７を用いて、本発明の第４実施形態について説明する。第１ないし第３実施形態においては、携帯機器の全周にジャケット１〜３は巻き付けられたが、第４実施形態においては、ジャケット４は携帯機器の前面部だけを覆う点で相違する。この相違点を中心に説明する。
【００６８】
図１６（ａ）は、ジャケット４をカメラ１００に装着する前の様子を示し、図１６（ｂ）は装着後を示す。カメラ１００は、前面部１０１の略中央にレンズ鏡筒１０２が配置されており、また上面には操作部１３１が配置されている。
【００６９】
ジャケット４は、シリコン製であるが、多少、弾性および柔軟性を有する素材であれば、これに限らない。ジャケット４は、カメラ１００の外形に沿った形状であり、周囲はカメラ１００に装着するための装着部４ａがジャケット４の前面４ｄと垂直な面で形成されている。前面４ｄの略中央には開口部４ｃが設けられており、第１ないし第３実施形態と同様、Ａ面およびＢ面のいずれかを表にした場合であっても、レンズ鏡筒１０２を遮蔽しないように開口部４ｃが形成されている。レンズ鏡筒１０２の撮影光軸は、ジャケット４の対称軸Ｓ上にある。
【００７０】
また、ジャケット４の前面４ｄおよび装着部４ｂの４隅には、切り欠き部４ｂが設けられている。切り欠き部４ｂは、後述するように、ジャケット４の裏面４ｅを表にして装着する場合に、装着部４ａを裏返すことから、このときの変形を吸収するために設けてある。ジャケット４の表面４ｄ（Ａ面）と裏面４ｅ（Ｂ面）には、それぞれ異なる色、模様、表面の感触等が施されている。
【００７１】
ジャケット４のカメラ１００への装着は、図１６（ａ）に示すように、ジャケット４をカメラ１００の前面部１０１の方向に動かしながら、まず鏡筒開口部４ｃにレンズ鏡筒１０２を通し、装着部４ａをカメラ１００の外形に沿わせ、図１６（ｂ）に示すように、ジャケット４をカメラ１００に装着する。図１６（ｂ）は、Ａ面が表となるように装着した様子を示す。
【００７２】
次に、ジャケット４のＢ面が表となるように装着する場合について、図１７を用いて説明する。図１７（ａ）はジャケット４を裏面側からみた斜視図であり、図１７（ｂ）はジャケット４を裏返し、Ｂ面が表側となったときの斜視図であり、図１７（ｃ）はＢ面を表にしてカメラ１００に装着した様子を示し、図１７（ｄ）は切り欠き部分を示すＸＸ断面図である。切り欠き部４ｂは、４隅では完全に切り欠かれているが、切り欠き部４ｂ以外の前面部４ｄと装着部４ａの稜線と、稜線の裏も、図１７（ｄ）に示すように、一部が切り欠かれている。このため、容易に装着部４ａを折り返し、ジャケット４を裏返すことができる。
【００７３】
ジャケット４のＢ面が表となるようにするには、図１７（ａ）に示すＡ面が表の状態において、図１７（ｂ）に示すように装着部４ａを折り返す。この状態で、ジャケット４をカメラ１００に、図１６を用いて説明した手順で取り付ければよい。
【００７４】
以上説明したように、本発明の第４実施形態において、ジャケット４は、携帯機器の前面に装着可能であり、機器の外観を装飾する携帯機器のジャケットであり、当該ジャケットは、携帯機器の前面に装着するための装着部を有し、かつ対称軸に対して略対称になるような形状で構成され、当該ジャケットの両面は、いずれも外観を装飾する面で、かつ材質、色または表面の少なくともいずれか１つが相互に異なるような面で形成される。すなわち、ジャケット４は、カメラ１００の前面部１０１に取り付けるようにし、また対称軸Ｓに対して略対称になるような形状で構成されている。ジャケット４のＡ面およびＢ面は、いずれも外観を装飾する面で、かつ材質、色または表面の少なくともいずれか１つが相互に異なるような面で形成されている。このため、カメラ１００に取り付ける際に、Ａ面を表にするか、Ｂ面を表にするかをユーザが好みに応じて適宜選択することにより、機器の外観装飾を簡単に変化させることができる。
【００７５】
次に、本発明の第１ないし第４実施形態において、Ａ面およびＢ面における材質、色または模様等について、図１８を用いて説明する。まず最初の例は、Ａ面をプラスチックシート等の耐水性のある材質のシートで構成し、Ｂ面を革シートで構成する。この例は、Ａ面とＢ面を機能で切換える例であり、水のかかる場所ではＡ面を使用するようにすればよい。
【００７６】
２番目の例は、Ａ面の少なくとも前面部をプラスチックシートや塗装による鏡面材のシートで構成し、Ｂ面を革シートで構成する。この例もＡ面とＢ面を機能で切換える例であり、自分撮りしたい場合にはＡ面を使用し、鏡面を利用して構図を決めることができる。３番目の例は、Ａ面に反射布や反射糸を利用した反射材シートで構成し、Ｂ面を革シートで構成する。この例も機能で切換える例であり、夜間に存在を告知し安全性を高めたい場合にはＡ面を使用するようにすればよい。
【００７７】
４番目の例は、Ａ面をグリップ領域にシボ付き革シートで構成し、Ｂ面をシボ無し革シートで構成する。５番目の例は、Ａ面を毛皮（ファー）付きの布材のシートで構成し、Ｂ面を革シートで構成する。６番目の例は、Ａ面をバックスキンのシートで構成し、Ｂ面を革シートで構成する。４番目の例から６番目の例は、いずれも表面性、感触を切換える例であり、ユーザの好みに応じて使用面を決めれば良い。
【００７８】
７番目の例は、Ａ面を白色革シートで構成し、Ｂ面を黒色革シートで構成する。８番目の例は、Ａ面を花柄等の模様の有る革シートで構成し、Ｂ面を模様無しの革シートで構成する。７番目の例および８番目の例は、いずれも外観を切換える例であり、ユーザの好みに応じて使用面を決めれば良い。図１８に示したＡ面とＢ面は、いずれも例示であり、これ以外の材質、色、模様、表面の感触等を適宜、選択すればよい。
【００７９】
本発明の各実施形態や変形例においては、上述したように、シート状の表面（Ａ面）と裏面（Ｂ面）のいずれの面でも携帯機器に取り付けられるようにし、２通りの外観切換えを簡単に行うことができる。このため、気分や環境に合わせて、携帯機器の外観装飾を簡単に変化させることのできるジャケットが提供でき、携帯機器のファッションを高めることができ、携帯機器の更なる普及につなげることができる。
【００８０】
なお、本発明の各実施形態や変形例においては、携帯機器として、カメラ１００と携帯電話２００について説明したが、これらに限らず、例えば、音楽プレーヤ等の携帯可能な機器であれば、本発明を適用することができる。
【００８１】
また、本発明の実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【００８２】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００８３】
１〜４・・・ジャケット、４ａ・・・装着部、４ｂ・・・切り欠き部、４ｃ・・・鏡筒開口部、４ｄ・・・前面部、４ｅ・・・裏面部、５・・・フォーミング線、６・・・フォーミング線、１０・・・カバー前面部、１１・・・鏡筒装着部、１１ａ・・・ゴムリング、１１ｂ・・・鏡筒装着部、１１ｃ・・・鏡筒装着部、１２・・・鏡筒開口部、１３・・・カバーグリップ部、１５・・・カバー前面部、１６・・・鏡筒装着部、１７・・・鏡筒開口部、１８・・・ストロボ開口部、１９・・・カバー前面部、１９ａ・・・開口部、２０・・・カバー右端部、２１〜２３・・・締結部Ｐ、３０・・・カバー中間部、３１・・・切り欠き部、３５・・・カバー中間部、３６・・・操作釦開口部、３７・・・カバー中間部、４０・・・カバー背面部、４１・・・背面開口部、４５・・・カバー背面部、４６・・・背面開口部、４７・・・締結部Ｑ、４８・・・カバー背面部、４９・・・鏡筒開口部、５０・・・カバー左端部、５１〜５３・・・締結部Ｑ、６５・・・カバー底面部、６６・・・三脚開口、６７・・・カバー底面部、７５・・・カバー締結部、７７・・・締結部Ｐ、７８・・・カバー締結部、１００・・・カメラ、１０１・・・前面部、１０２・・・レンズ鏡筒、１０３・・・撮影光軸、１０４・・・グリップ部、１０５・・・ストロボ窓、１１０・・・背面部、１１１・・・表示部、１１２・・・ＥＶＦ部、１１３・・・操作部、１２０・・・右側面、１２１・・・スナップ取り付け部、１２２・・・左側面、１３０・・・上面部、１３１・・・操作部、２００・・・携帯電話、２０１・・・正面部、２０２・・・表示部、２０３・・・操作部、２１０・・・背面部、２１１・・・撮影レンズ、２１２・・・撮影光軸、Ｓ・・・対称軸
【図１】
2012181388.tif 000003
【図２】
2012181388.tif 000004
【図３】
2012181388.tif 000005
【図４】
2012181388.tif 000006
【図５】
2012181388.tif 000007
【図６】
2012181388.tif 000008
【図７】
2012181388.tif 000009
【図８】
2012181388.tif 000010
【図９】
2012181388.tif 000011
【図１０】
2012181388.tif 000012
【図１１】
2012181388.tif 000013
【図１２】
2012181388.tif 000014
【図１３】
2012181388.tif 000015
【図１４】
2012181388.tif 000016
【図１５】
2012181388.tif 000017
【図１６】
2012181388.tif 000018
【図１７】
2012181388.tif 000019
【図１８】
2012181388.tif 000020